(57)【要約】【課題】  靴内部の爪先から踵までの正味長さを測定する靴サイズ測定具を提供する。【解決手段】  靴１１の内部に本体１０を挿入する。本体１０の長さを調整し、本体１０の長さを靴内部の正味長さと一致させる。この結果、本体を靴底に敷き詰め、靴１１の内部の爪先から踵までの長さを正確に測定できる。また、自分の足の大きさにぴったりのサイズの靴を簡単に見つけることができる。例えば、靴を直接幼児に履かせなくても、幼児の足にぴったりの靴を見つけることができる。【選択図】図１
2007007167.tif 000002
【特許請求の範囲】
【請求項１】
靴の内部の爪先部から踵部までの長さを測定する靴サイズ測定具であって、
靴の内部に挿入可能で、その長さが調整自在な本体を有し、
上記本体は、その長さ方向と靴の長さ方向と一致させて、靴内部に挿入して上記靴の内部の爪先から踵までの長さを測定する靴サイズ測定具。
【請求項２】
上記本体は平板である請求項１に記載の靴サイズ測定具。
【請求項３】
上記本体は柔軟である請求項１または請求項２に記載の靴サイズ測定具。
【請求項４】
上記本体は、複数個に分割可能に設けられた請求項１〜請求項３のいずれか１項に記載の靴サイズ測定具。
【請求項５】
上記本体の爪先側および踵側の少なくともいずれか一方には、本体の長さ方向に所定の厚みを有し、本体に足を載せてその足を位置決めする位置決め部材が設けられた請求項１〜請求項４のいずれか１項に記載の靴サイズ測定具。
【請求項６】
上記本体には、上記位置決め部材の厚みを本体の長さから差し引いてその本体の長さを調整する長さ調整手段が設けられた請求項５に記載の靴サイズ測定具。
【請求項７】
上記位置決め部材は、その全部または一部が上記本体に着脱自在に設けられた請求項５または請求項６に記載の靴サイズ測定具。
【請求項８】
上記本体は、その幅が調整自在に設けられた請求項１〜請求項７のいずれか１項に記載の靴サイズ測定具。
【発明の詳細な説明】
【技術分野】
【０００１】
この発明は靴サイズ測定具、詳しくは靴の内部の寸法を測定する靴サイズ測定具に関する。
【背景技術】
【０００２】
従来、足裏のサイズを測定する測定具はすでに多数開示されている。例えば、特許文献１には、幼児の足寸法を知ることができる幼児の足寸法測定装置が開示されている。すなわち、幼児の踵に背面から当てる立壁と、立壁の下部から直交する方向に延び、幼児の足の裏に当てる足裏板とが設けられている。足裏板には、幼児の足の大きさを段階的に示す複数の幼児の足の形状が表示されている。これにより、幼児を足の寸法を測るとともに、子どもの成長の様子を知ることができる。
【０００３】
靴はその内部が概略足裏形状を有しており、また靴底は足裏形状と合わせるために曲線を有している。このため、ものさしなどを靴の内部に挿入しても、靴の寸法を正確に測定することができなかった。実際には、靴の合わせ込みは、現在履いている靴の寸法または上記のように測定した足の寸法を基に、足に適用するメーカ表記のサイズの靴をいくつか選んで行っていた。また、靴と足との余裕については、試着時に指で押すなどして、この関係を確かめていた。
【０００４】
【特許文献１】特開２００５−２１６５７号公報
【発明の開示】
【発明が解決しようとする課題】
【０００５】
しかしながら、幼児は、長時間じっとしていることが難しく、また、実際に靴を履かせて試着させても足指を曲げていたりする。また、革靴などはその革の部分が硬いため、指圧して足と靴との関係を知ることが困難であった。このため、実際の足の大きさに合わない靴を買ってしまう問題が生じていた。
さらに、靴サイズはメーカ表記に依存し、メーカによっては、この表記にばらつきが生じていた。このため、同じサイズの表記であっても、試着すると足に合わない靴が存在する問題があった。
しかも、これまでは、靴自体の正味寸法（内部寸法）を正確に計測できる靴サイズ測定具は存在していなかった。
【０００６】
この発明は、上記問題を解決するためになされたもので、靴の内部の爪先から踵までの長さ（正味寸法）を正確に測定できる靴サイズ測定具を提供することを目的とする。
また、この発明は、自分の足の大きさにぴったりのサイズの靴を簡単に見つけることができる靴サイズ測定具を提供することを目的とする。
【課題を解決するための手段】
【０００７】
請求項１に記載の発明は、靴の内部の爪先部から踵部までの長さを測定する靴サイズ測定具であって、靴の内部に挿入可能で、その長さが調整自在な本体を有し、上記本体は、その長さ方向と靴の長さ方向と一致させて、靴内部に挿入して上記靴の内部の爪先から踵までの長さを測定する靴サイズ測定具である。
その内部の長さを測定する対象となる靴は限定されず、例えば、革靴、運動シューズ、長靴、ブーツなどが挙げられる。また、幼児用の靴から成人用までの靴に使用することができる。さらに、スケート場、ボウリング場、スキー場などで貸し出されるレンタル用のシューズまたはブーツなどに使用してもよい。
本体の形状は限定されない。平板でも、棒状でもよいし、ブロック形状でもよい。または、シューキーパのような形状でもよい。
また、本体の素材も限定されない。柔軟な素材で形成してもよいし、高剛性の素材で形成してもよい。または、靴の内部に挿入して靴底の形状を記憶することができる形状記憶素材でもよい。
さらに、本体は、一体に形成してもよいし、複数個に分割されていてもよい。
この本体は長さ調整自在に設けられる。本体の長さを自在に調整する調整手段は限定されない。例えば、本体を一体に形成する場合には、本体の長さを調整自在とするため、伸縮性のあるゴムまたはゼリーなどのような素材を用いることができる。また、本体を複数個に分割する場合には、この分割した部分を面ファスナなどを用いて長さが調整可能に連結してもよいし、スライドできるような機構を用いて長さ調整自在に設けてもよい。
本体の長さ調整は、本体を靴の内部に挿入した後、靴の内部で行ってもよい。または、本体は、靴の内部に挿入する前に足の長さに一致するように調整した後、靴の内部に挿入してもよい。
本体は靴の内部に挿入するので、靴の内部を消臭する芳香剤を含有してもよい。
【０００８】
請求項１に記載の靴サイズ測定具にあっては、まず、本体を靴の内部に挿入する。この場合、本体は、その長さが調整自在である。次いで、靴の内部で本体の爪先部を靴の爪先部に当接させ、本体の踵部を靴の踵部に当接させる。靴の内部において、本体の長さ方向と靴の長さ方向とを一致させ、本体の長さを調整するのである。この後、靴の内部において、または、靴の内部から本体を取り出すなどして、本体を目視してまたは本体に設けられた目盛りを読んで本体の長さを把握する。このとき、本体の長さは靴の内部の爪先部から踵部までの長さと一致している。このように本体の長さを把握することにより、靴の内部の爪先部から踵部までの長さを容易に測定することができる。すなわち、靴自体の正味サイズを正確に測定することができる。
また、足の大きさと本体の長さとを一致させ、調整した本体を靴の内部に挿入することにより、足の大きさに適用する靴サイズなのか否かを知ることもできる。具体的には、まず、例えば市販の足測定具または後述するメモリアル台紙を用いて足の爪先から踵までの長さを測定する。そして、この本体の長さを調整をして、足測定具で測定した上記長さと、本体の長さとを一致させる。この後、本体を靴の内部に挿入し、靴の爪先部または踵部のいずれかに本体を当接し、本体の長さと靴の内部の爪先部から踵部までの長さとを比較する。これらが完全に一致すれば、足の大きさにぴったりと適用するサイズを有する靴と判断でき、本体の長さが靴内部の長さよりも大きい場合または小さい場合には適用できない靴と判断することができる。すなわち、メーカのサイズ表示にとらわれずに、個々の靴に対して自分の足に適用する靴を選ぶことができる。
【０００９】
請求項２に記載の発明は、上記本体は平板である請求項１に記載の靴サイズ測定具である。
本体を構成する平板の厚みは限定されないが、薄い方が踏みつけ可能に設けることができる。なお、平板の表面には、消臭のための加工が施されていてもよい。
【００１０】
請求項２に記載の靴サイズ測定具にあっては、本体が平板状であるので踏みつけ可能である。すなわち、靴を履いたままでも靴の長さを測定することができる。また、平板なので持ち運びが容易である。本体は、平板なので、概略足裏形状に類似した形状または帯板形状に形成することができる。さらに、その素材により本体を曲げながら靴の内部に挿入することが可能となる。靴底の形状と一致させて、靴の長さを測定することもできる。さらに、本体は平板なので、幼児の足を本体で測定した後、例えばメモリアル台紙上にこの本体を載せてその幼児の足のサイズをメモリアル台紙に記録することもできる。
【００１１】
請求項３に記載の発明は、上記本体は柔軟である請求項１または請求項２に記載の靴サイズ測定具である。
本体は柔軟な素材で形成される。柔軟な素材とは、例えば、ポリ塩化ビニル、ポリエチレン、合成樹脂、革類などである。これらの素材は透明でもよいし、半透明でもよい。
【００１２】
請求項３に記載の靴サイズ測定具にあっては、本体が柔軟なので、本体をたわませながら折り曲げて靴の内部に挿入することができる。また、測定後、靴の内部から、本体を容易に取り出すことができる。
また、本体を柔らかな素材で平板に形成すると、靴底の凹凸形状に一致させて測長することができる。すなわち、ハイヒールなどの爪先部と踵部との高低のある靴でも正確に測定することができる。柔軟であるので、多少の引っ張りなどに対してもこわれにくい。
【００１３】
請求項４に記載の発明は、上記本体は、複数個に分割可能に設けられた請求項１〜請求項３のいずれか１項に記載の靴サイズ測定具である。
本体を複数個に分割する場合の個数は限定されず、例えば、踵側半分と爪先側半分とに２分割してもよいし、１ｃｍごとに多数個に分割してもよい。
複数個に分割された本体の小片同士は繋ぎ合わせて連結することができる。
複数個に分割したとき本体の長さを調整する調整手段は、限定されない。例えば、本体を分割して、この分割した部分同士を面ファスナを用いて長さが調整可能に連結してもよい。または、分割した本体をスライドできるような機構を用いて長さ調整に設けてもよい。また、分割した複数のブロック同士を例えばレゴブロックのように嵌め合いにて接続可能な機構としてもよい。
【００１４】
請求項４に記載の靴サイズ測定具にあっては、本体は複数個に分割することができる。複数個に分割することにより、各分割された部材を追加したり、削除したりすることができる。これにより、足の大きさに応じて、本体の測定範囲を広げたり、狭めたりすることができる。
また、本体を複数個に分割することにより、本体を長さ調整自在に設けることができる。例えば、踵側半分と爪先側半分とに２分割された本体を、面ファスナを用いて踵側と爪先側との貼り付け位置を変えることにより長さ調整自在に設けることができる。または、踵側半分と爪先側半分とをスライド可能に設けて本体の長さの調整を自在とすることができる。
さらに、分割された部分同士にねじを組み込んでこれらをスライド可能に設けて構成することもできる。スライド機構を設けると、本体の長さの微調整が容易に行える。特に、細かい寸法の調整を可能とすることができる。
【００１５】
請求項５に記載の発明は、上記本体の爪先側および踵側の少なくともいずれか一方には、本体の長さ方向に所定の厚みを有し、本体に足を載せてその足を位置決めする位置決め部材が設けられた請求項１〜請求項４のいずれか１項に記載の靴サイズ測定具である。
位置決め部材により、本体を靴の中に入れたとき、この本体の長さと靴の長さとの差異が確実に判る。位置決め部材の素材は限定されない。本体と同じ素材で形成してもよいし、異種の素材で形成してもよい。
位置決め部材の厚みは限定されない。
位置決め部材の形状は、限定されない。単なる平板でもよいし、立体形状を有してもよい。または、足裏の概略爪先形状としてもよく、概略踵の形状と同じでもよい。さらには、本体と位置決め部材との間にバネを設けて、この位置決め部材を移動自在に設けてもよい。
【００１６】
請求項５に記載の靴サイズ測定具にあっては、踵側半分と爪先側半分と少なくともいずれか一方には位置決め部材が設けられている。両方に設けても良い。
位置決め部材は、本体に足を載せたとき、その足の爪先部およびまたは踵部に当接することにより、本体に対して足を位置決めする重要な部材である。
また、本体を靴の内部に挿入した場合、靴の内部の爪先部および踵部に対して位置決め部材を当接させて、靴の内部での本体の位置決めをすることができる。
位置決め部材の形状は限定されないが、例えば、本体を平板状として、爪先側のそれを足の爪先部と概略同様の平面視しての湾曲形状、踵部と概略同様の湾曲形状に、それらの各先端から起立させれば、足の爪先形状および踵形状と合わせ込むこともできるし、靴の内部で爪先部の形状および踵部の形状と合わせ込むことができる。
【００１７】
請求項６に記載の発明は、上記本体には、上記位置決め部材の厚みを本体の長さから差し引いてその本体の長さを調整する長さ調整手段が設けられた請求項５に記載の靴サイズ測定具である。
長さ調整手段となる機構は限定されない。
【００１８】
請求項６に記載の靴サイズ測定具にあっては、上記本体の爪先側および本体の踵側の少なくとも一方には、位置決め部材が設けられている。この位置決め部材は、その長さ方向に所定厚みを有して構成されている。そこで、以下のようにして、位置決め部材の厚み分を本体から差し引いて靴サイズを測定することができる。
具体的には、まず、本体に足を載せ、本体の爪先側に配置した位置決め部材の内方に爪先を、その踵側に配置した位置決め部材の内方に踵をそれぞれ当接して位置決めする。これにより、足の長さが、爪先側の位置決め部材の内方の位置から踵側の位置決め部材の内方の位置までの長さと一致している。
次いで、本体から足を降ろし、位置決め部材の長さ調整手段を機能させる。すなわち、両方の位置決め部材の厚みを差し引いた分だけ本体を収縮させる。この収縮の結果、爪先側位置決め部材の外方の位置から踵側位置決め部材の外方の位置までの長さが足の長さと一致することとなる。そして、この本体を、この長さ状態に保持したまま、靴の内部に挿入して、靴底に敷き詰める。これにより、足の長さに最適な内サイズ（正味寸法）の靴を見つけ出すことが容易となる。本体の長さが足の長さであって、靴の内側の正味長さと足の長さとを正確に比較することができるのである。
また、その逆も可能である。すなわち、位置決め部材の長さ調整手段を機能させて、位置決め部材の厚み分だけ本体を収縮させる。次いで、この状態で、靴の内部に挿入して、この内部で本体の長さを調整し、本体の長さと靴底の爪先部から踵部までの長さとを一致させる。この後、本体を靴の内部から取り出し、位置決め部材の長さ調整手段の機能を解除する。すなわち、本体の長さが位置決め部材の厚み分だけ長くなる。そして、本体に足を載せ、爪先側位置決め部材の内方から踵側位置決め部材の内方までの長さが足の長さと一致しているか否かを確認する。これにより、選び出した靴が足の長さに適用できるか否かの判断が可能である。
【００１９】
請求項７に記載の発明は、上記位置決め部材は、その全部または一部が上記本体に着脱自在に設けられた請求項５または請求項６に記載の靴サイズ測定具である。
位置決め部材の全部または一部が本体に着脱自在とする機構は限定されない。例えば、位置決め部材側に突起を設けて、この突起を本体の穴に着脱自在に係入するようにしてもよい。または、面ファスナを設けて位置決め部材を貼り付け自在に設けてもよい。
【００２０】
請求項７に記載の靴サイズ測定具にあっては、大人と幼児とでは、爪先形状または踵形状が大きく異なるので、大人が使用する場合または幼児が使用する場合に応じて、位置決め部材の形状、大きさ、角度などを変更する。このため、位置決め部材の全部またはその一部を本体に着脱自在とした。
【００２１】
請求項８に記載の発明は、上記本体は、その幅が調整自在に設けられた請求項１〜請求項７のいずれか１項に記載の靴サイズ測定具である。
【００２２】
請求項８に記載の靴サイズ測定具にあっては、本体はその幅の大きさを調整自在に設けることができる。幅方向の調整は、上記本体の長さ調整機構と同様なものを使用する。
【発明の効果】
【００２３】
この発明によれば、靴の内部に挿入可能で、その長さが調整自在な本体を有している。靴の内部に挿入した本体は、靴の内部でその長さを調整することができる。これにより、本体の長さ方向と靴底の長さ方向と一致させることができる。すなわち、本体を靴底に敷き詰めて、靴の内部の爪先部から踵部までの長さを正確に測定することができる。従来のように、靴を履かなくても靴の長さを正確に知ることができる。
【実施例１】
【００２４】
以下、この発明の一実施例を、図１から図４を参照して説明する。
まず、本実施例では面ファスナを用いた靴サイズ測定具について説明する。本実施例の靴サイズ測定具には、平板状で構成された本体１０が設けられる。本体１０は、図２および図３に示すように、靴１１のなかに挿入して靴底１７に敷き詰め可能なように、概略足裏形状を有している。本体１０の素材は、柔軟で透明な塩化ビニルで構成されている。本体１０は、その厚みが１ｍｍ程度で、踏みつけ可能に靴底に設けられている。
図１に示すように、この本体１０は、爪先側半分と踵側半分とに２分割されている。本体１０のうち、爪先側半分を構成する爪先側部材１２と、踵側半分を構成する踵側部材１３とに分割されている。そして、爪先側部材１２は踵側に、踵側部材１３は爪先側にそれぞれ所定幅を持たせて形成されている。これにより、本体１０の中央部において、爪先側部材１２と踵側部材１３とのオーバラップ部が形成される。
このオーバラップ部となる踵側部材１３の表面には面ファスナの貼り付け面１５ｂが設けられ、爪先側部材１２の裏面には面ファスナの対向面１５ａが設けられている。これにより、本体１０を踵側半分と爪先側半分とを連結し、長さ調整自在に設けることができる。
本体１０の踵側部材１３の表面には、本体１０の長さを示す目盛り１６が配設されている。目盛り１６は、踵側から順に小さい寸法の値が記されている。そして、この目盛り１６には、本体１０の長さが容易に分かるように各寸法値ごとに線が設けられている。この線の形状は、爪先側部材１２の後端の形状と略同じに形成されている。すなわち、爪先側部材１２の後端が、目盛り１６の位置によって、本体１０の長さを知ることができる。なお、目盛り１６は、ｍｍ単位まで表示することが可能である。
さらに、爪先側部材１２の先端、踵側部材１３の後端にはそれぞれ位置決め部材１４が設けられている。位置決め部材１４は、爪先側部材１２と踵側部材１３と同じ柔軟な塩化ビニルで形成されている。また、位置決め部材１４は、略１０ｍｍの高さを有し、概略爪先の形状または概略踵の形状に形成されている。
【００２５】
次に、靴サイズ測定具の使用方法について説明する。
本実施例に係る靴サイズ測定具においては、２つの使用方法が存在する。すなわち、図３に示すように、まず、踵側部材１３を靴１１の中に挿入する。そして、踵側部材１３の位置決め部材１４を靴１１内部の踵部に当接させて、靴底１７に敷き詰める。次いで、爪先側部材１２を靴１１の爪先側に当接させて、靴１１の中に挿入する。
この後、靴１１の中において、踵側部材１３に爪先側部材１２を連結する。すなわち、踵側部材１３の表面の面ファスナの貼り付け面１５ｂに、爪先側部材１２の裏面に貼られた面ファスナの対向面１５ａを合わせて、指で押し付けてワンタッチで連結する。これにより、概略足裏形状に爪先側部材１２と踵側部材１３とを連結するとともに、靴底１７に敷き詰めることができる。また、本体１０が靴底１７の形状に沿った形で敷き詰められた状態で踏み付け可能に設けられる。
このとき、踵側部材１３が爪先側部材１２に連結された状態で、爪先側部材１２の後端の位置する目盛り１６を読む。これにより、踵側部材１３と爪先側部材１２とが連結された本体１０の長さを知ることができる。
測定した後の本体１０は、概略足裏形状を保持した状態で靴１１の内部から取り出すことができる。これから本体１０を基準として、この足裏形状と同じ長さを保持した状態で、自己に合う靴１１を作ることも可能である。
この方法によれば、最初に靴の内部の爪先から踵までの長さがわからない靴１１であっても、正確に靴サイズを測定することができる。
【００２６】
次に、本実施例に係る靴サイズ測定具の他の使用方法について説明する。なお、本実施例では、位置決め部材の厚みを考慮しない。
まず、本体の長さと足の爪先から踵までの長さとを一致させる。本体に足を載せて、本体の長さと足の長さとを一致させてもよいし、図４および図５に示すような足サイズ測定具５０を用いて一致させてもよい。
そして、本体を足裏形状に一致させた後、爪先側部材１２と踵側部材１３とを連結したまま、本体１０を靴１１の内部に挿入し、靴底１７に敷き詰める。そして本体１０の長さと靴１１の内部の爪先から踵までとを一致するか否かを確認する。一致すれば、本体１０の長さが靴の長さと判断することができる。一致しない場合には、目的の大きさの靴でないことが判断することができる。
この方法では、連結した状態で靴１１の中に入れるため、最初に自分の靴１１のサイズに合う状態で連結して足の長さを記録させておき、これを靴１１のなかに挿入して、求めたい靴１１を容易に見つけることも可能である。例えば、靴を幼児に直接履かせなくても、幼児の足のサイズに合う靴を見つけることができる。
【００２７】
図４および図５は、足の大きさを台上で測定し、子どもの成長を記録する足サイズ測定具５０を示している。図５（ａ）に示すように、足置き台２６上には短辺側の端部に透明なシート５１が固定されている。この透明なシート５１には、踵を当接する位置決め部材２５が設けられている。そして、シート５１上には基準線５３が設けられている。また、図５（ｂ）に示すように、大きさの異なる複数の足裏形状が表示されたメモリアル台紙５２が設けられている。このメモリアル台紙５２には、上記シート５１上に設けられた基準線５３と一致させる合わせ線５４が設けられている。
次に、足サイズ測定具の使用方法について説明する。まず、足置き台２６上の表面と透明シートとの間にメモリアル台紙５２を挟み込む。そして、透明シート５１の基準線５３とメモリアル台紙５２上の合わせ線５４と一致させる。次いで、足置き台２６上に足を載せ、踵を位置決め部材２５に当てる。そして、爪先がメモリアル台紙５２上に位置する数値を読み取る。これにより、足の大きさを知ることができ、メモリアル台紙５２上にその測定値および測定した日付けを記録することができる。そして、幼児から成長する段階において、靴を買うごとにそのサイズを記録することができる。
また、上記足サイズ測定具５０は、本発明の靴サイズ測定具と併用することができる。すなわち、足サイズ測定具５０で足を長さを測定してメモリアル台紙５２上にその大きさを記録し、記録したサイズと靴サイズ測定具の本体の長さと一致させる。そして、本体を靴の内部に挿入して適用できるサイズの靴を見つけることができる。
または、ある靴を選び、その靴のサイズを靴サイズ測定具の本体を挿入して、本体と靴との大きさとを一致させる。この後、本体を靴の内部から取り出し、この本体をメモリアル台紙５２上に載せて、記録上の足の大きさとの一致を確認することができる。
【実施例２】
【００２８】
また、この発明の第２の実施例を図６〜図９を参照して説明する。
本実施例に係る発明は、上記実施例１に係る靴サイズ測定具に以下の変更を加えたものである。上記実施例１の面ファスナの手段をスライド手段に変更したことである。他の構成については実施例１と同じである。すなわち、踵側半分（踵側部材１３）と爪先側半分（爪先側部材１２）とを、スライド機構を用いて、長さを調整可能に設けるものである。
具体的には、図６および図７に示すように、踵側部材１３の表面の長さ方向にレール２１が設けられる。レール２１の側面には突起２２が設けられている。突起は半円形状であって変形可能に形成されている。
爪先側半分の裏面には、上記レール２１に嵌合される溝２３が設けられる。溝２３の両壁部は凹凸加工がされている。そして、この凹凸溝２３の凹部に、上記レール２１が設けられた半円形の突起が係合される。これにより、踵側部材１３と爪先側部材１２とがスライド可能に設けられる。
【００２９】
または、別のスライド機構を用いて、本体１０の長さを調整可能に設けることも可能である。
具体的には、図８および図９に示すように、爪先部材１２と踵側部材１３とは円筒の連結部材２３を用いて連結されている。この連結部材２３はたわみ可能な素材で形成されている。例えば、つまみ２４を回すことにより、図示しないかさ歯車を介して連結部材２３がねじのように爪先部材１２の方向にねじ込まれるように設けられている。この連結部材２３には、目盛りが配設されている。これにより、本体１０がスライド可能に設けることができるとともに、配設された目盛りにより本体１０の長さを確認することができる。目盛りは、本体１０が靴１１の内部の挿入された状態で確認できるように、踵側に設けた方がよい。また、上記つまみ２４に替えて棒２３（連結部材）を互いに回転自在なネジ式２重管構造として外管を軸回りに回転させてその長さを伸縮させた長さ調整可能な構造とすることもできる。
なお、本体１０を柔軟な素材で形成すれば、上記連結部材をたわみ可能な素材で形成しているので、靴底に本体１０をフィットさせて靴の内部で靴サイズを測定することができる。
【００３０】
次に、靴サイズ測定具の使用方法について説明する。
まず、２分割された本体１０を靴１１に挿入し、靴底１７に敷き詰める。次に、踵側部材１３と爪先側部材１２とを上記スライド手段を用いてスライドさせる。そして、本体１０の長さを調整しながら、位置決め部材１４を踵側および爪先側に当接する。これにより、爪先部から踵部までの靴の長さを求めることができる。
または、本体１０を上記スライド手段を用いてスライドさせながら足裏形状と一致させる。そして、足の長さと一致させた本体１０を靴の内部に挿入し、靴底１７と一致させて測定することもできる。
この方法によれば、長さ調整が容易であり、また、微調整が容易に行うことができる。
【実施例３】
【００３１】
また、この発明の第３の実施例を図１０〜図１４を参照して説明する。
本実施例に係る発明は、位置決め部材１２の厚みを差し引いて調整する長さ調整手段を設けたことである。
長さ調整手段は、例えば、図１０〜図１２に示すものを使用する。図１０（ａ）および図１０（ｂ）には、ワンタッチ式の長さ調整手段を備えた靴サイズ測定具が開示されている。この長さ調整手段において、踵側部材１３がさらに第１の踵側部材１３ａと第１の踵側部材１３ｂとに２分割され、第２の踵側部材１３ｂは第１の踵側部材１３ａに嵌合されている。そして、第２の踵側部材１３ｂの長辺側には、三角形の突起３２と四辺形の突起３３が設けられている。第１の踵側部材１３ａの長辺側には、上記三角形の突起３２を係止する第１の係止孔３４と、上記三角形の突起３２および上記四角形の突起３３を係止する第２の係止孔３５とが設けられている。そして、第２の踵側部材１３ｂの爪先側にはばね３６が連結されている。
次に、このワンタッチ式の長さ調整手段を用いて、位置決め部材の長さ調整について説明する。まず、第２の踵側部材１３ｂを爪先方向（Ａ方向）に押し込む。すると、三角形の突起３２が第１の踵側部材１３ａに入り込み（Ｂ方向）、第２の踵側部材１３ｂは爪先方向に押し込まれる。第２の踵側部材１３ｂはさらに押し込まれ、三角形の突起３２が第２の係止孔３５により係止される。このとき、三角形の突起３２が第１の係止孔３４に係止されている位置から第２の係止孔３５に係止される位置までの長さが位置決め部材の厚みと同じである。これにより、位置決め部材の長さの分を調整することができる。
これを解除するには、四角形の突起３３を押し込む（Ｃ方向）と、三角形の突起３２の係止も解除される。そして、ばね３６の付勢により、第２の踵側部材１３ｂは踵方向に移動する。そして、三角形の突起３２が第１の係止孔３４まで戻され、第２の踵側部材１３ｂは元の位置まで戻される。
【００３２】
また、図１１（ａ）〜（ｃ）および図１２（ａ）〜（ｃ）は、別の長さ調整手段を示している。具体的には、２分割された踵側部材１３が設けられており、この２分割された踵側部材１３のうち、爪先側の部材を第１の踵側部材１３ａおよび踵側の部材を第２の踵側部材１３ｂとする。第１の踵側部材１３ａの踵側先端には凸部２７が設けられている。これに対して、第２の踵側部材１３ｂには、上記凸部２７と係合する凹部２８が設けられている。この凸部２７の表面には、図１１の場合には、丸ぴん２９が複数個設けられ、図１２の場合には、凸部２７の側部に三角形状の位置決め部材３１が設けられている。そして、凹部２８には、図１１の場合には、上記丸ぴん２９を係止する貫通孔３０が設けられ、図１２の場合には、上記三角形状の位置決め部材３１を係止する三角孔３２が設けられている。すなわち、図１１の場合には、凸部２７に設けられた丸ぴん２９の位置を変更させることにより、踵側部材１３の長さを調整することができる。また、図１２の場合は、位置決め部材の位置を変更させることにより、踵側部材１３の長さを調整することができる。
【００３３】
次に、本実施例での靴サイズ測定具の使用方法を図１３を参照して説明する。
まず、図１３（ａ）に示すように、本体１０の位置決め部材の内側に足を載せる。そして、本体１０について爪先側位置決め部材１４ａの内方の位置から踵側位置決め部材１４ｂの内方の位置までの長さと足の長さとを一致させる。そして、足の寸法（Ｄ寸法）を計測する。このとき、本体１０の長さ（爪先側位置決め部材１４ａの外方の位置から踵側位置決め部材１４ｂの外方の位置までの長さ）はＥ寸法である。
次いで、本体１０から足を降ろし、位置決め部材の長さの調整を上記長さ調整手段を用いて行う。すなわち、位置決め部材の厚み分（爪先側位置決め部材１４ａの厚み＋踵側位置決め部材１４ｂの厚み）だけ本体１０の長さが収縮する。このとき、図１３（ｂ）に示すように、位置決め部材１４ａ、１４ｂの外方の爪先部から踵部までの長さはＤ寸法となり、上記足の長さと一致している。そして、この状態を保持してまま、靴の内部に挿入する。これにより、足に適用するサイズの靴を見つけることができる。
また、その逆も可能である。まず、本体１０の位置決め部材の長さ調整機能を作用させて、本体１０を位置決め部材の厚み分だけ収縮させる。次いで、この状態で、靴の内部に挿入して、この内部で本体１０の長さを調整し、本体１０の長さと靴底の爪先から踵までの長さとを一致させる。この後、本体１０を靴の内部から取り出し、位置決め部材の長さ調整機能を解除し、本体１０の長さをＥ寸法とする。そして、本体１０に足を載せ、この足の長さと位置決め部材内方の爪先部から踵部までの長さとが一致しているのかを確認する。これにより、選んだ靴が足に適用できるか否かの判断が可能である。
【００３４】
図１４に示すように、本体１０に設けられた位置決め部材１４はその全部または一部が着脱可能である。大人と幼児とでは、爪先形状または踵形状が大きく異なるので、大人が使用する場合または幼児が使用する場合に応じて、位置決め部材１４の形状、大きさ、角度などを変更するようにする。このため、位置決め部材１４の全部またはその一部を本体１０に着脱自在とした。
本体１０に位置決め部材１４の全部または一部が着脱自在にする機構は限定されない。例えば、図１４（ａ）および図１４（ｃ）に示すように、位置決め部材１４側に突起６１を設けて、この突起６１を本体１０に着脱自在に係入するようにしてもよい。または、図１４（ｂ）に示すように、面ファスナ６２を設けて貼り付け自在に設けることもできる。
【図面の簡単な説明】
【００３５】
【図１】この発明の実施例１に係る靴サイズ測定具の構成を示す斜視図である。
【図２】この発明の実施例１に係る靴サイズ測定具の構成を示す平面図である。
【図３】この発明の実施例１に係る靴サイズ測定具の使用状態を示す側面図である。
【図４】この発明の実施例１に係る足サイズ測定具の使用状態を示す斜視図である。
【図５】この発明の実施例１に係る足サイズ測定具の構成を示す斜視図である。  （ａ）は、足置き台の構成を示す斜視図である。（ｂ）は、メモリアル台紙の構成を示す斜視図である。
【図６】この発明の実施例２に係る靴サイズ測定具の構成を示す斜視図である。
【図７】この発明の実施例２に係る靴サイズ測定具の構成を示す平面図である。
【図８】この発明の実施例２に係る靴サイズ測定具の構成を示す斜視図である。
【図９】この発明の実施例２に係る靴サイズ測定具の構成を示す平面図である。
【図１０】この発明の実施例３に係る本体の長さ調整機構の構成を示す平面図である。  （ａ）は、長さ調整前の状態を示す平面図である。（ｂ）は、長さ調整時の状態を示す平面図である。
【図１１】この発明の実施例３に係る本体の長さ調整機構の構成を示す平面図である。  （ａ）は、長さ調整時の状態を示す平面図である。（ｂ）は、機構を分解した状態を示す平面図である。（ｃ）は、長さ調整前の状態を示す平面図である。
【図１２】この発明の実施例３に係る本体の長さ調整機構の構成を示す平面図である。  （ａ）は、長さ調整時の状態を示す平面図である。（ｂ）は、機構を分解した状態を示す平面図である。（ｃ）は、長さ調整前の状態を示す平面図である。
【図１３】この発明の実施例３に係る本体の長さ調整機構の使用方法を説明する平面図である。（ａ）は、長さ調整前の状態を示す平面図である。（ｂ）は、長さ調整時の状態を示す平面図である。
【図１４】この発明の実施例３に係る着脱自在な位置決め部材の構成を示す斜視図である。（ａ）は、丸ピン式の位置決め部材の構成を示す斜視図である。（ｂ）は、面ファスナを用いた位置決め部材の構成を示す斜視図である。（ｃ）は、フック式の位置決め部材の構成を示す斜視図である。
【符号の説明】
【００３６】
１０  本体、
１１  靴、
１２  爪先側部材、
１３  踵側部材、
１４  位置決め部材。
【図１】
2007007167.tif 000003
【図２】
2007007167.tif 000004
【図３】
2007007167.tif 000005
【図４】
2007007167.tif 000006
【図５】
2007007167.tif 000007
【図６】
2007007167.tif 000008
【図７】
2007007167.tif 000009
【図８】
2007007167.tif 000010
【図９】
2007007167.tif 000011
【図１０】
2007007167.tif 000012
【図１１】
2007007167.tif 000013
【図１２】
2007007167.tif 000014
【図１３】
2007007167.tif 000015
【図１４】
2007007167.tif 000016
【手続補正書】
【提出日】平成18年1月31日(2006.1.31)
【手続補正１】
【補正対象書類名】特許請求の範囲
【補正対象項目名】全文
【補正方法】変更
【補正の内容】
【特許請求の範囲】
【請求項１】
所定長さの本体を、その長さ方向と靴の長さ方向と一致させて、靴の内部に挿入することにより、この靴の内部の爪先から踵までの長さを測定可能な靴サイズ測定具であって、
上記本体を平板で柔軟な素材で形成し、かつ、爪先部と踵部とを含んで複数に分割するとともに、これらの爪先部の一部と踵部の一部とを重ね合わせて面状ファスナにより着脱自在とすることにより、この本体の長さを調整自在に構成した靴サイズ測定具。
【請求項２】
所定長さの本体を、その長さ方向と靴の長さ方向と一致させて、靴の内部に挿入することにより、この靴の内部の爪先から踵までの長さを測定可能な靴サイズ測定具であって、
上記本体を足を載せられる平板で形成し、かつこの平板を爪先部と踵部とを含んで複数に分割するとともに、これらの爪先部の一部と踵部の一部とを嵌合構造として、この嵌合位置を本体の長さ方向において変更可能とすることにより、または、これらの爪先部の一部と踵部の一部とをねじ込み構造とすることにより、これらの爪先部と踵部とをスライド可能とした靴サイズ測定具。
【請求項３】
所定長さの本体を、その長さ方向と靴の長さ方向と一致させて、靴の内部に挿入することにより、この靴の内部の爪先から踵までの長さを測定可能な靴サイズ測定具であって、
上記本体は、その長さ方向において複数個のブロックに分割し、各ブロックが嵌合することにより本体の長さを調整自在とした靴サイズ測定具。
【請求項４】
上記本体の爪先側部分および踵側部分のうちの少なくともいずれか一方には、本体の長さ方向に所定の厚みを有し、この本体に足を載せた場合にその足の爪先および踵を位置決めする位置決め部材が設けられた請求項１〜３のいずれか１項に記載の靴サイズ測定具。
【請求項５】
上記本体には、上記位置決め部材の厚みを本体の長さから差し引いてその本体の長さを調整する長さ調整手段が設けられた請求項４に記載の靴サイズ測定具。
【請求項６】
上記位置決め部材は、その全部または一部が上記本体に着脱自在に設けられた請求項４または請求項５に記載の靴サイズ測定具。
【請求項７】
上記長さ調整手段は、上記踵側部分をその長さ方向に２分割し、これら分割部分同士が嵌合する構造としてこの嵌合位置を変えることで長さ調整を行う請求項５に記載の靴サイズ測定具。
【請求項８】
上記長さ調整手段は、上記踵側部分を長さ方向に２分割し、これらの分割部分同士に互いに嵌合する凹部と凸部とをそれぞれ形成し、この嵌合位置を変えることでその長さ調整を行う請求項５に記載の靴サイズ測定具。
【手続補正２】
【補正対象書類名】明細書
【補正対象項目名】全文
【補正方法】変更
【補正の内容】
【発明の詳細な説明】
【技術分野】
【０００１】
この発明は靴サイズ測定具、詳しくは靴の内部の寸法を測定する靴サイズ測定具に関する。
【背景技術】
【０００２】
従来、足裏のサイズを測定する測定具はすでに多数開示されている。例えば、特許文献１には、幼児の足寸法を知ることができる幼児の足寸法測定装置が開示されている。すなわち、幼児の踵に背面から当てる立壁と、立壁の下部から直交する方向に延び、幼児の足の裏に当てる足裏板とが設けられている。足裏板には、幼児の足の大きさを段階的に示す複数の幼児の足の形状が表示されている。これにより、幼児を足の寸法を測るとともに、子どもの成長の様子を知ることができる。
【０００３】
靴はその内部が概略足裏形状を有しており、また靴底は足裏形状と合わせるために曲線を有している。このため、ものさしなどを靴の内部に挿入しても、靴の寸法を正確に測定することができなかった。実際には、靴の合わせ込みは、現在履いている靴の寸法または上記のように測定した足の寸法を基に、足に適用するメーカ表記のサイズの靴をいくつか選んで行っていた。また、靴と足との余裕については、試着時に指で押すなどして、この関係を確かめていた。
【０００４】
【特許文献１】特開２００５−２１６５７号公報
【発明の開示】
【発明が解決しようとする課題】
【０００５】
しかしながら、幼児は、長時間じっとしていることが難しく、また、実際に靴を履かせて試着させても足指を曲げていたりする。また、革靴などはその革の部分が硬いため、指圧して足と靴との関係を知ることが困難であった。このため、実際の足の大きさに合わない靴を買ってしまう問題が生じていた。
さらに、靴サイズはメーカ表記に依存し、メーカによっては、この表記にばらつきが生じていた。このため、同じサイズの表記であっても、試着すると足に合わない靴が存在する問題があった。
しかも、これまでは、靴自体の正味寸法（内部寸法）を正確に計測できる靴サイズ測定具は存在していなかった。
【０００６】
この発明は、上記問題を解決するためになされたもので、靴の内部の爪先から踵までの長さ（正味寸法）を正確に測定できる靴サイズ測定具を提供することを目的とする。
また、この発明は、自分の足の大きさにぴったりのサイズの靴を簡単に見つけることができる靴サイズ測定具を提供することを目的とする。
【課題を解決するための手段】
【０００７】
請求項１に記載の発明は、所定長さの本体を、その長さ方向と靴の長さ方向と一致させて、靴の内部に挿入することにより、この靴の内部の爪先から踵までの長さを測定可能な靴サイズ測定具であって、上記本体を平板で柔軟な素材で形成し、かつ、爪先部と踵部とを含んで複数に分割するとともに、これらの爪先部の一部と踵部の一部とを重ね合わせて面状ファスナにより着脱自在とすることにより、この本体の長さを調整自在に構成した靴サイズ測定具である。
その内部の長さを測定する対象となる靴は限定されず、例えば、革靴、運動シューズ、長靴、ブーツなどが挙げられる。また、幼児用の靴から成人用までの靴に使用することができる。さらに、スケート場、ボウリング場、スキー場などで貸し出されるレンタル用のシューズまたはブーツなどに使用してもよい。
本体の長さ調整は、本体を靴の内部に挿入した後、靴の内部で行ってもよい。または、本体は、靴の内部に挿入する前に足の長さに一致するように調整した後、靴の内部に挿入してもよい。
本体は柔軟な素材で形成される。柔軟な素材とは、例えば、ポリ塩化ビニル、ポリエチレン、合成樹脂、革類などである。これらの素材は透明でもよいし、半透明でもよい。
は靴の内部に挿入するので、靴の内部を消臭する芳香剤を含有してもよい。
【０００８】
請求項１に記載の靴サイズ測定具にあっては、まず、本体を靴の内部に挿入する。この場合、本体は、その長さが調整自在である。次いで、靴の内部で本体の爪先部を靴の爪先部に当接させ、本体の踵部を靴の踵部に当接させる。靴の内部において、本体の長さ方向と靴の長さ方向とを一致させ、本体の長さを調整するのである。この後、靴の内部において、または、靴の内部から本体を取り出すなどして、本体を目視してまたは本体に設けられた目盛りを読んで本体の長さを把握する。このとき、本体の長さは靴の内部の爪先部から踵部までの長さと一致している。このように本体の長さを把握することにより、靴の内部の爪先部から踵部までの長さを容易に測定することができる。すなわち、靴自体の正味サイズを正確に測定することができる。
また、足の大きさと本体の長さとを一致させ、調整した本体を靴の内部に挿入することにより、足の大きさに適用する靴サイズなのか否かを知ることもできる。具体的には、まず、例えば市販の足測定具または後述するメモリアル台紙を用いて足の爪先から踵までの長さを測定する。そして、この本体の長さを調整をして、足測定具で測定した上記長さと、本体の長さとを一致させる。この後、本体を靴の内部に挿入し、靴の爪先部または踵部のいずれかに本体を当接し、本体の長さと靴の内部の爪先部から踵部までの長さとを比較する。これらが完全に一致すれば、足の大きさにぴったりと適用するサイズを有する靴と判断でき、本体の長さが靴内部の長さよりも大きい場合または小さい場合には適用できない靴と判断することができる。すなわち、メーカのサイズ表示にとらわれずに、個々の靴に対して自分の足に適用する靴を選ぶことができる。
請求項１に記載の靴サイズ測定具にあっては、本体が柔軟なので、本体をたわませながら折り曲げて靴の内部に挿入することができる。また、測定後、靴の内部から、本体を容易に取り出すことができる。
また、本体を柔らかな素材で平板に形成すると、靴底の凹凸形状に一致させて測長することができる。すなわち、ハイヒールなどの爪先部と踵部との高低のある靴でも正確に測定することができる。柔軟であるので、多少の引っ張りなどに対してもこわれにくい。
【０００９】
請求項２に記載の発明は、所定長さの本体を、その長さ方向と靴の長さ方向と一致させて、靴の内部に挿入することにより、この靴の内部の爪先から踵までの長さを測定可能な靴サイズ測定具であって、上記本体を足を載せられる平板で形成し、かつこの平板を爪先部と踵部とを含んで複数に分割するとともに、これらの爪先部の一部と踵部の一部とを嵌合構造として、この嵌合位置を本体の長さ方向において変更可能とすることにより、または、これらの爪先部の一部と踵部の一部とをねじ込み構造とすることにより、これらの爪先部と踵部とをスライド可能とした靴サイズ測定具である。
本体を構成する平板の厚みは限定されないが、薄い方が踏みつけ可能に設けることができる。なお、平板の表面には、消臭のための加工が施されていてもよい。
【００１０】
請求項２に記載の靴サイズ測定具にあっては、本体が平板状であるので踏みつけ可能である。すなわち、靴を履いたままでも靴の長さを測定することができる。また、平板なので持ち運びが容易である。本体は、平板なので、概略足裏形状に類似した形状または帯板形状に形成することができる。さらに、その素材により本体を曲げながら靴の内部に挿入することが可能となる。靴底の形状と一致させて、靴の長さを測定することもできる。さらに、本体は平板なので、幼児の足を本体で測定した後、例えばメモリアル台紙上にこの本体を載せてその幼児の足のサイズをメモリアル台紙に記録することもできる。
【００１１】
請求項３に記載の発明は、所定長さの本体を、その長さ方向と靴の長さ方向と一致させて、靴の内部に挿入することにより、この靴の内部の爪先から踵までの長さを測定可能な靴サイズ測定具であって、上記本体は、その長さ方向において複数個のブロックに分割し、各ブロックが嵌合することにより本体の長さを調整自在とした靴サイズ測定具である。
本体を複数個に分割する場合の個数は限定されず、例えば、踵側半分と爪先側半分とに２分割してもよいし、１ｃｍごとに多数個に分割してもよい。
複数個に分割された本体の小片同士は繋ぎ合わせて連結することができる。
複数個に分割したとき本体の長さを調整する調整手段は、例えば分割した複数のブロック同士を例えばレゴブロックのように嵌め合いにて接続可能な機構としてもよい。
【００１２】
請求項１〜３に記載の靴サイズ測定具にあっては、本体は複数個に分割することができる。複数個に分割することにより、各分割された部材を追加したり、削除したりすることができる。これにより、足の大きさに応じて、本体の測定範囲を広げたり、狭めたりすることができる。
また、本体を複数個に分割することにより、本体を長さ調整自在に設けることができる。例えば、踵側半分と爪先側半分とに２分割された本体を、面ファスナを用いて踵側と爪先側との貼り付け位置を変えることにより長さ調整自在に設けることができる。または、踵側半分と爪先側半分とをスライド可能に設けて本体の長さの調整を自在とすることができる。
さらに、分割された部分同士にねじを組み込んでこれらをスライド可能に設けて構成することもできる。スライド機構を設けると、本体の長さの微調整が容易に行える。特に、細かい寸法の調整を可能とすることができる。
【００１３】
請求項４に記載の発明は、上記本体の爪先側部分および踵側部分のうちの少なくともいずれか一方には、本体の長さ方向に所定の厚みを有し、この本体に足を載せた場合にその足の爪先および踵を位置決めする位置決め部材が設けられた請求項１〜３のいずれか１項に記載の靴サイズ測定具である。
位置決め部材により、本体を靴の中に入れたとき、この本体の長さと靴の長さとの差異が確実に判る。位置決め部材の素材は限定されない。本体と同じ素材で形成してもよいし、異種の素材で形成してもよい。
位置決め部材の厚みは限定されない。
位置決め部材の形状は、限定されない。単なる平板でもよいし、立体形状を有してもよい。または、足裏の概略爪先形状としてもよく、概略踵の形状と同じでもよい。さらには、本体と位置決め部材との間にバネを設けて、この位置決め部材を移動自在に設けてもよい。
【００１４】
請求項４に記載の靴サイズ測定具にあっては、踵側半分と爪先側半分と少なくともいずれか一方には位置決め部材が設けられている。両方に設けても良い。
位置決め部材は、本体に足を載せたとき、その足の爪先部およびまたは踵部に当接することにより、本体に対して足を位置決めする重要な部材である。
また、本体を靴の内部に挿入した場合、靴の内部の爪先部および踵部に対して位置決め部材を当接させて、靴の内部での本体の位置決めをすることができる。
位置決め部材の形状は限定されないが、例えば、本体を平板状として、爪先側のそれを足の爪先部と概略同様の平面視しての湾曲形状、踵部と概略同様の湾曲形状に、それらの各先端から起立させれば、足の爪先形状および踵形状と合わせ込むこともできるし、靴の内部で爪先部の形状および踵部の形状と合わせ込むことができる。
【００１５】
請求項５に記載の発明は、上記本体には、上記位置決め部材の厚みを本体の長さから差し引いてその本体の長さを調整する長さ調整手段が設けられた請求項４に記載の靴サイズ測定具である。
【００１６】
請求項５に記載の靴サイズ測定具にあっては、上記本体の爪先側および本体の踵側の少なくとも一方には、位置決め部材が設けられている。この位置決め部材は、その長さ方向に所定厚みを有して構成されている。そこで、以下のようにして、位置決め部材の厚み分を本体から差し引いて靴サイズを測定することができる。
具体的には、まず、本体に足を載せ、本体の爪先側に配置した位置決め部材の内方に爪先を、その踵側に配置した位置決め部材の内方に踵をそれぞれ当接して位置決めする。これにより、足の長さが、爪先側の位置決め部材の内方の位置から踵側の位置決め部材の内方の位置までの長さと一致している。
次いで、本体から足を降ろし、位置決め部材の長さ調整手段を機能させる。すなわち、両方の位置決め部材の厚みを差し引いた分だけ本体を収縮させる。この収縮の結果、爪先側位置決め部材の外方の位置から踵側位置決め部材の外方の位置までの長さが足の長さと一致することとなる。そして、この本体を、この長さ状態に保持したまま、靴の内部に挿入して、靴底に敷き詰める。これにより、足の長さに最適な内サイズ（正味寸法）の靴を見つけ出すことが容易となる。本体の長さが足の長さであって、靴の内側の正味長さと足の長さとを正確に比較することができるのである。
また、その逆も可能である。すなわち、位置決め部材の長さ調整手段を機能させて、位置決め部材の厚み分だけ本体を収縮させる。次いで、この状態で、靴の内部に挿入して、この内部で本体の長さを調整し、本体の長さと靴底の爪先部から踵部までの長さとを一致させる。この後、本体を靴の内部から取り出し、位置決め部材の長さ調整手段の機能を解除する。すなわち、本体の長さが位置決め部材の厚み分だけ長くなる。そして、本体に足を載せ、爪先側位置決め部材の内方から踵側位置決め部材の内方までの長さが足の長さと一致しているか否かを確認する。これにより、選び出した靴が足の長さに適用できるか否かの判断が可能である。
【００１７】
請求項６に記載の発明は、上記位置決め部材は、その全部または一部が上記本体に着脱自在に設けられた請求項４または請求項５に記載の靴サイズ測定具である。
位置決め部材の全部または一部が本体に着脱自在とする機構は限定されない。例えば、位置決め部材側に突起を設けて、この突起を本体の穴に着脱自在に係入するようにしてもよい。または、面ファスナを設けて位置決め部材を貼り付け自在に設けてもよい。
【００１８】
請求項６に記載の靴サイズ測定具にあっては、大人と幼児とでは、爪先形状または踵形状が大きく異なるので、大人が使用する場合または幼児が使用する場合に応じて、位置決め部材の形状、大きさ、角度などを変更する。このため、位置決め部材の全部またはその一部を本体に着脱自在とした。
【００１９】
請求項７に記載の発明は、上記長さ調整手段は、上記踵側部分をその長さ方向に２分割し、これら分割部分同士が嵌合する構造としてこの嵌合位置を変えることで長さ調整を行う請求項５に記載の靴サイズ測定具である。
【００２０】
請求項８に記載の発明は、上記長さ調整手段は、上記踵側部分を長さ方向に２分割し、これらの分割部分同士に互いに嵌合する凹部と凸部とをそれぞれ形成し、この嵌合位置を変えることでその長さ調整を行う請求項５に記載の靴サイズ測定具である。
【発明の効果】
【００２１】
この発明によれば、靴の内部に挿入可能で、その長さが調整自在な本体を有している。靴の内部に挿入した本体は、靴の内部でその長さを調整することができる。これにより、本体の長さ方向と靴底の長さ方向と一致させることができる。すなわち、本体を靴底に敷き詰めて、靴の内部の爪先部から踵部までの長さを正確に測定することができる。従来のように、靴を履かなくても靴の長さを正確に知ることができる。
【実施例１】
【００２２】
以下、この発明の一実施例を、図１から図４を参照して説明する。
まず、本実施例では面ファスナを用いた靴サイズ測定具について説明する。本実施例の靴サイズ測定具には、平板状で構成された本体１０が設けられる。本体１０は、図２および図３に示すように、靴１１のなかに挿入して靴底１７に敷き詰め可能なように、概略足裏形状を有している。本体１０の素材は、柔軟で透明な塩化ビニルで構成されている。本体１０は、その厚みが１ｍｍ程度で、踏みつけ可能に靴底に設けられている。
図１に示すように、この本体１０は、爪先側半分と踵側半分とに２分割されている。本体１０のうち、爪先側半分を構成する爪先側部材１２と、踵側半分を構成する踵側部材１３とに分割されている。そして、爪先側部材１２は踵側に、踵側部材１３は爪先側にそれぞれ所定幅を持たせて形成されている。これにより、本体１０の中央部において、爪先側部材１２と踵側部材１３とのオーバラップ部が形成される。
このオーバラップ部となる踵側部材１３の表面には面ファスナの貼り付け面１５ｂが設けられ、爪先側部材１２の裏面には面ファスナの対向面１５ａが設けられている。これにより、本体１０を踵側半分と爪先側半分とを連結し、長さ調整自在に設けることができる。
本体１０の踵側部材１３の表面には、本体１０の長さを示す目盛り１６が配設されている。目盛り１６は、踵側から順に小さい寸法の値が記されている。そして、この目盛り１６には、本体１０の長さが容易に分かるように各寸法値ごとに線が設けられている。この線の形状は、爪先側部材１２の後端の形状と略同じに形成されている。すなわち、爪先側部材１２の後端が、目盛り１６の位置によって、本体１０の長さを知ることができる。なお、目盛り１６は、ｍｍ単位まで表示することが可能である。
さらに、爪先側部材１２の先端、踵側部材１３の後端にはそれぞれ位置決め部材１４が設けられている。位置決め部材１４は、爪先側部材１２と踵側部材１３と同じ柔軟な塩化ビニルで形成されている。また、位置決め部材１４は、略１０ｍｍの高さを有し、概略爪先の形状または概略踵の形状に形成されている。
【００２３】
次に、靴サイズ測定具の使用方法について説明する。
本実施例に係る靴サイズ測定具においては、２つの使用方法が存在する。すなわち、図３に示すように、まず、踵側部材１３を靴１１の中に挿入する。そして、踵側部材１３の位置決め部材１４を靴１１内部の踵部に当接させて、靴底１７に敷き詰める。次いで、爪先側部材１２を靴１１の爪先側に当接させて、靴１１の中に挿入する。
この後、靴１１の中において、踵側部材１３に爪先側部材１２を連結する。すなわち、踵側部材１３の表面の面ファスナの貼り付け面１５ｂに、爪先側部材１２の裏面に貼られた面ファスナの対向面１５ａを合わせて、指で押し付けてワンタッチで連結する。これにより、概略足裏形状に爪先側部材１２と踵側部材１３とを連結するとともに、靴底１７に敷き詰めることができる。また、本体１０が靴底１７の形状に沿った形で敷き詰められた状態で踏み付け可能に設けられる。
このとき、踵側部材１３が爪先側部材１２に連結された状態で、爪先側部材１２の後端の位置する目盛り１６を読む。これにより、踵側部材１３と爪先側部材１２とが連結された本体１０の長さを知ることができる。
測定した後の本体１０は、概略足裏形状を保持した状態で靴１１の内部から取り出すことができる。これから本体１０を基準として、この足裏形状と同じ長さを保持した状態で、自己に合う靴１１を作ることも可能である。
この方法によれば、最初に靴の内部の爪先から踵までの長さがわからない靴１１であっても、正確に靴サイズを測定することができる。
【００２４】
次に、本実施例に係る靴サイズ測定具の他の使用方法について説明する。なお、本実施例では、位置決め部材の厚みを考慮しない。
まず、本体の長さと足の爪先から踵までの長さとを一致させる。本体に足を載せて、本体の長さと足の長さとを一致させてもよいし、図４および図５に示すような足サイズ測定具５０を用いて一致させてもよい。
そして、本体を足裏形状に一致させた後、爪先側部材１２と踵側部材１３とを連結したまま、本体１０を靴１１の内部に挿入し、靴底１７に敷き詰める。そして本体１０の長さと靴１１の内部の爪先から踵までとを一致するか否かを確認する。一致すれば、本体１０の長さが靴の長さと判断することができる。一致しない場合には、目的の大きさの靴でないことが判断することができる。
この方法では、連結した状態で靴１１の中に入れるため、最初に自分の靴１１のサイズに合う状態で連結して足の長さを記録させておき、これを靴１１のなかに挿入して、求めたい靴１１を容易に見つけることも可能である。例えば、靴を幼児に直接履かせなくても、幼児の足のサイズに合う靴を見つけることができる。
【００２５】
図４および図５は、足の大きさを台上で測定し、子どもの成長を記録する足サイズ測定具５０を示している。図５（ａ）に示すように、足置き台２６上には短辺側の端部に透明なシート５１が固定されている。この透明なシート５１には、踵を当接する位置決め部材２５が設けられている。そして、シート５１上には基準線５３が設けられている。また、図５（ｂ）に示すように、大きさの異なる複数の足裏形状が表示されたメモリアル台紙５２が設けられている。このメモリアル台紙５２には、上記シート５１上に設けられた基準線５３と一致させる合わせ線５４が設けられている。
次に、足サイズ測定具の使用方法について説明する。まず、足置き台２６上の表面と透明シートとの間にメモリアル台紙５２を挟み込む。そして、透明シート５１の基準線５３とメモリアル台紙５２上の合わせ線５４と一致させる。次いで、足置き台２６上に足を載せ、踵を位置決め部材２５に当てる。そして、爪先がメモリアル台紙５２上に位置する数値を読み取る。これにより、足の大きさを知ることができ、メモリアル台紙５２上にその測定値および測定した日付けを記録することができる。そして、幼児から成長する段階において、靴を買うごとにそのサイズを記録することができる。
また、上記足サイズ測定具５０は、本発明の靴サイズ測定具と併用することができる。すなわち、足サイズ測定具５０で足を長さを測定してメモリアル台紙５２上にその大きさを記録し、記録したサイズと靴サイズ測定具の本体の長さと一致させる。そして、本体を靴の内部に挿入して適用できるサイズの靴を見つけることができる。
または、ある靴を選び、その靴のサイズを靴サイズ測定具の本体を挿入して、本体と靴との大きさとを一致させる。この後、本体を靴の内部から取り出し、この本体をメモリアル台紙５２上に載せて、記録上の足の大きさとの一致を確認することができる。
【実施例２】
【００２６】
また、この発明の第２の実施例を図６〜図９を参照して説明する。
本実施例に係る発明は、上記実施例１に係る靴サイズ測定具に以下の変更を加えたものである。上記実施例１の面ファスナの手段をスライド手段に変更したことである。他の構成については実施例１と同じである。すなわち、踵側半分（踵側部材１３）と爪先側半分（爪先側部材１２）とを、スライド機構を用いて、長さを調整可能に設けるものである。
具体的には、図６および図７に示すように、踵側部材１３の表面の長さ方向にレール２１が設けられる。レール２１の側面には突起２２が設けられている。突起は半円形状であって変形可能に形成されている。
爪先側半分の裏面には、上記レール２１に嵌合される溝２３が設けられる。溝２３の両壁部は凹凸加工がされている。そして、この凹凸溝２３の凹部に、上記レール２１が設けられた半円形の突起が係合される。これにより、踵側部材１３と爪先側部材１２とがスライド可能に設けられる。
【００２７】
または、別のスライド機構を用いて、本体１０の長さを調整可能に設けることも可能である。
具体的には、図８および図９に示すように、爪先部材１２と踵側部材１３とは円筒の連結部材２３を用いて連結されている。この連結部材２３はたわみ可能な素材で形成されている。例えば、つまみ２４を回すことにより、図示しないかさ歯車を介して連結部材２３がねじのように爪先部材１２の方向にねじ込まれるように設けられている。この連結部材２３には、目盛りが配設されている。これにより、本体１０がスライド可能に設けることができるとともに、配設された目盛りにより本体１０の長さを確認することができる。目盛りは、本体１０が靴１１の内部の挿入された状態で確認できるように、踵側に設けた方がよい。また、上記つまみ２４に替えて棒２３（連結部材）を互いに回転自在なネジ式２重管構造として外管を軸回りに回転させてその長さを伸縮させた長さ調整可能な構造とすることもできる。
なお、本体１０を柔軟な素材で形成すれば、上記連結部材をたわみ可能な素材で形成しているので、靴底に本体１０をフィットさせて靴の内部で靴サイズを測定することができる。
【００２８】
次に、靴サイズ測定具の使用方法について説明する。
まず、２分割された本体１０を靴１１に挿入し、靴底１７に敷き詰める。次に、踵側部材１３と爪先側部材１２とを上記スライド手段を用いてスライドさせる。そして、本体１０の長さを調整しながら、位置決め部材１４を踵側および爪先側に当接する。これにより、爪先部から踵部までの靴の長さを求めることができる。
または、本体１０を上記スライド手段を用いてスライドさせながら足裏形状と一致させる。そして、足の長さと一致させた本体１０を靴の内部に挿入し、靴底１７と一致させて測定することもできる。
この方法によれば、長さ調整が容易であり、また、微調整が容易に行うことができる。
【実施例３】
【００２９】
また、この発明の第３の実施例を図１０〜図１４を参照して説明する。
本実施例に係る発明は、位置決め部材１２の厚みを差し引いて調整する長さ調整手段を設けたことである。
長さ調整手段は、例えば、図１０〜図１２に示すものを使用する。図１０（ａ）および図１０（ｂ）には、ワンタッチ式の長さ調整手段を備えた靴サイズ測定具が開示されている。この長さ調整手段において、踵側部材１３がさらに第１の踵側部材１３ａと第１の踵側部材１３ｂとに２分割され、第２の踵側部材１３ｂは第１の踵側部材１３ａに嵌合されている。そして、第２の踵側部材１３ｂの長辺側には、三角形の突起３２と四辺形の突起３３が設けられている。第１の踵側部材１３ａの長辺側には、上記三角形の突起３２を係止する第１の係止孔３４と、上記三角形の突起３２および上記四角形の突起３３を係止する第２の係止孔３５とが設けられている。そして、第２の踵側部材１３ｂの爪先側にはばね３６が連結されている。
次に、このワンタッチ式の長さ調整手段を用いて、位置決め部材の長さ調整について説明する。まず、第２の踵側部材１３ｂを爪先方向（Ａ方向）に押し込む。すると、三角形の突起３２が第１の踵側部材１３ａに入り込み（Ｂ方向）、第２の踵側部材１３ｂは爪先方向に押し込まれる。第２の踵側部材１３ｂはさらに押し込まれ、三角形の突起３２が第２の係止孔３５により係止される。このとき、三角形の突起３２が第１の係止孔３４に係止されている位置から第２の係止孔３５に係止される位置までの長さが位置決め部材の厚みと同じである。これにより、位置決め部材の長さの分を調整することができる。
これを解除するには、四角形の突起３３を押し込む（Ｃ方向）と、三角形の突起３２の係止も解除される。そして、ばね３６の付勢により、第２の踵側部材１３ｂは踵方向に移動する。そして、三角形の突起３２が第１の係止孔３４まで戻され、第２の踵側部材１３ｂは元の位置まで戻される。
【００３０】
また、図１１（ａ）〜（ｃ）および図１２（ａ）〜（ｃ）は、別の長さ調整手段を示している。具体的には、２分割された踵側部材１３が設けられており、この２分割された踵側部材１３のうち、爪先側の部材を第１の踵側部材１３ａおよび踵側の部材を第２の踵側部材１３ｂとする。第１の踵側部材１３ａの踵側先端には凸部２７が設けられている。これに対して、第２の踵側部材１３ｂには、上記凸部２７と係合する凹部２８が設けられている。この凸部２７の表面には、図１１の場合には、丸ぴん２９が複数個設けられ、図１２の場合には、凸部２７の側部に三角形状の位置決め部材３１が設けられている。そして、凹部２８には、図１１の場合には、上記丸ぴん２９を係止する貫通孔３０が設けられ、図１２の場合には、上記三角形状の位置決め部材３１を係止する三角孔３２が設けられている。すなわち、図１１の場合には、凸部２７に設けられた丸ぴん２９の位置を変更させることにより、踵側部材１３の長さを調整することができる。また、図１２の場合は、位置決め部材の位置を変更させることにより、踵側部材１３の長さを調整することができる。
【００３１】
次に、本実施例での靴サイズ測定具の使用方法を図１３を参照して説明する。
まず、図１３（ａ）に示すように、本体１０の位置決め部材の内側に足を載せる。そして、本体１０について爪先側位置決め部材１４ａの内方の位置から踵側位置決め部材１４ｂの内方の位置までの長さと足の長さとを一致させる。そして、足の寸法（Ｄ寸法）を計測する。このとき、本体１０の長さ（爪先側位置決め部材１４ａの外方の位置から踵側位置決め部材１４ｂの外方の位置までの長さ）はＥ寸法である。
次いで、本体１０から足を降ろし、位置決め部材の長さの調整を上記長さ調整手段を用いて行う。すなわち、位置決め部材の厚み分（爪先側位置決め部材１４ａの厚み＋踵側位置決め部材１４ｂの厚み）だけ本体１０の長さが収縮する。このとき、図１３（ｂ）に示すように、位置決め部材１４ａ、１４ｂの外方の爪先部から踵部までの長さはＤ寸法となり、上記足の長さと一致している。そして、この状態を保持してまま、靴の内部に挿入する。これにより、足に適用するサイズの靴を見つけることができる。
また、その逆も可能である。まず、本体１０の位置決め部材の長さ調整機能を作用させて、本体１０を位置決め部材の厚み分だけ収縮させる。次いで、この状態で、靴の内部に挿入して、この内部で本体１０の長さを調整し、本体１０の長さと靴底の爪先から踵までの長さとを一致させる。この後、本体１０を靴の内部から取り出し、位置決め部材の長さ調整機能を解除し、本体１０の長さをＥ寸法とする。そして、本体１０に足を載せ、この足の長さと位置決め部材内方の爪先部から踵部までの長さとが一致しているのかを確認する。これにより、選んだ靴が足に適用できるか否かの判断が可能である。
【００３２】
図１４に示すように、本体１０に設けられた位置決め部材１４はその全部または一部が着脱可能である。大人と幼児とでは、爪先形状または踵形状が大きく異なるので、大人が使用する場合または幼児が使用する場合に応じて、位置決め部材１４の形状、大きさ、角度などを変更するようにする。このため、位置決め部材１４の全部またはその一部を本体１０に着脱自在とした。
本体１０に位置決め部材１４の全部または一部が着脱自在にする機構は限定されない。例えば、図１４（ａ）および図１４（ｃ）に示すように、位置決め部材１４側に突起６１を設けて、この突起６１を本体１０に着脱自在に係入するようにしてもよい。または、図１４（ｂ）に示すように、面ファスナ６２を設けて貼り付け自在に設けることもできる。
【図面の簡単な説明】
【００３３】
【図１】この発明の実施例１に係る靴サイズ測定具の構成を示す斜視図である。
【図２】この発明の実施例１に係る靴サイズ測定具の構成を示す平面図である。
【図３】この発明の実施例１に係る靴サイズ測定具の使用状態を示す側面図である。
【図４】この発明の実施例１に係る足サイズ測定具の使用状態を示す斜視図である。
【図５】この発明の実施例１に係る足サイズ測定具の構成を示す斜視図である。  （ａ）は、足置き台の構成を示す斜視図である。（ｂ）は、メモリアル台紙の構成を示す斜視図である。
【図６】この発明の実施例２に係る靴サイズ測定具の構成を示す斜視図である。
【図７】この発明の実施例２に係る靴サイズ測定具の構成を示す平面図である。
【図８】この発明の実施例２に係る靴サイズ測定具の構成を示す斜視図である。
【図９】この発明の実施例２に係る靴サイズ測定具の構成を示す平面図である。
【図１０】この発明の実施例３に係る本体の長さ調整機構の構成を示す平面図である。  （ａ）は、長さ調整前の状態を示す平面図である。（ｂ）は、長さ調整時の状態を示す平面図である。
【図１１】この発明の実施例３に係る本体の長さ調整機構の構成を示す平面図である。  （ａ）は、長さ調整時の状態を示す平面図である。（ｂ）は、機構を分解した状態を示す平面図である。（ｃ）は、長さ調整前の状態を示す平面図である。
【図１２】この発明の実施例３に係る本体の長さ調整機構の構成を示す平面図である。  （ａ）は、長さ調整時の状態を示す平面図である。（ｂ）は、機構を分解した状態を示す平面図である。（ｃ）は、長さ調整前の状態を示す平面図である。
【図１３】この発明の実施例３に係る本体の長さ調整機構の使用方法を説明する平面図である。（ａ）は、長さ調整前の状態を示す平面図である。（ｂ）は、長さ調整時の状態を示す平面図である。
【図１４】この発明の実施例３に係る着脱自在な位置決め部材の構成を示す斜視図である。（ａ）は、丸ピン式の位置決め部材の構成を示す斜視図である。（ｂ）は、面ファスナを用いた位置決め部材の構成を示す斜視図である。（ｃ）は、フック式の位置決め部材の構成を示す斜視図である。
【符号の説明】
【００３４】
１０  本体、
１１  靴、
１２  爪先側部材、
１３  踵側部材、
１４  位置決め部材。